(57)【要約】【課題】取付ピンが取付孔から不正に外されることを確実に防止できるパチンコ機を提供する。【解決手段】遊技盤９を有する機器本体２に上側ヒンジ板７が設けられており、この上側ヒンジ板７に形成された取付孔７ａに取付ピン１５を挿入することによって、機器本体２に対してガラス扉３が開閉可能に軸支されるパチンコ機において、遊技盤９に取付ピン１５を下動させることのできる解除レバー１６を設けると共に、この解除レバー１６の回動操作を阻止可能なロック部材３３を前後方向へスライド自在に設け、ガラス扉３の閉塞時にロック部材３３の後方への移動を遊技盤９の前面で規制することにより、取付ピン１５が取付孔７ａから不正に外されることを阻止するようにした。【選択図】図８
2015150273.tif 000002
【特許請求の範囲】
【請求項１】
遊技領域を有する遊技盤が設置された機器本体と、前記遊技領域を視認可能な透明板が保持されたガラス扉とを備え、前記ガラス扉に移動可能に設けられた取付ピンが前記機器本体に設けられた取付孔に嵌合することにより、前記ガラス扉が前記機器本体に対して開閉可能に軸支されているパチンコ機において、
前記取付ピンの移動を選択的に規制するストッパ機構が付設されており、このストッパ機構が、前記ガラス扉の閉塞時に前記取付ピンの前記取付孔からの脱落を阻止すると共に、前記ガラス扉の開放時に前記取付ピンの前記取付孔からの解除操作を許容することを特徴とするパチンコ機。
【請求項２】
請求項１の記載において、前記ストッパ機構が前記ガラス扉に移動可能に保持されたロック部材を備えており、前記ガラス扉の閉塞時に前記ロック部材の移動を前記機器本体で規制することにより、前記取付ピンの前記取付孔からの脱落が阻止されることを特徴とするパチンコ機。
【請求項３】
請求項２の記載において、前記ロック部材は前記ガラス扉の前後方向へスライド可能に保持されており、前記ガラス扉を開放位置から閉じる方向へ回動するとき、前記ロック部材の後端部が前記機器本体の前面に対向するようになっていることを特徴とするパチンコ機。
【発明の詳細な説明】
【技術分野】
【０００１】
本発明は、遊技盤を有する機器本体に対してガラス扉が開閉可能に軸支されているパチンコ機に関するものである。
【背景技術】
【０００２】
一般的にパチンコ機は、遊技場の島設備に設置される縦長方形状の外枠と、この外枠にヒンジ部を介して開閉可能に取り付けられた機器本体と、この機器本体に設置された遊技盤と、機器本体の前面に別のヒンジ部を介して開閉可能に取り付けられたガラス扉とを備えており、ガラス扉の中央部に開設された窓孔には遊技盤の遊技領域を目視可能な透明板が取り付けられている。機器本体の背面には、電装部品の一つである液晶表示装置が取り付けられる他、それ以外の電装部品として遊技に関する制御を行う制御処理装置（制御基板）が基板ケースに収納された状態で取り付けられている。
【０００３】
このように概略構成されたパチンコ機において、例えば遊技盤のメンテナンスや工場出荷前の盤面検査等を行う場合、ガラス扉を機器本体に対してヒンジ部から取り外した状態で所望の作業を行った後、再びガラス扉をヒンジ部を介して機器本体に取り付けるようにしているため、ガラス扉を機器本体に対して容易に着脱可能としたヒンジ機構が要望されている。
【０００４】
かかるヒンジ機構として、機器本体の左端上部と左端下部にそれぞれ取付孔を設けると共に、ガラス扉の左端上面と左端下部にそれぞれ取付ピンを設け、これら上下の取付ピンを対応する取付孔に挿入することにより、ガラス扉を機器本体に対して開閉可能に軸支するという構成が広く採用されている。ここで、上部取付ピンにはスプリングによって上方への付勢力が付与されており、この付勢力に抗して上部取付ピンを押し下げることにより、上部取付ピンはガラス扉の左端上面から没入可能となっている。したがって、ガラス扉を機器本体に取り付ける場合、下部取付ピンを下部取付孔に挿入した後、上部取付ピンを押し下げながら上部取付孔の真下に対向させれば、当該位置で上部取付ピンがスプリングの付勢力により突出して上部取付孔に嵌合するため、上下の取付ピンを対応する取付孔に軸支させることができる。また、ガラス扉を機器本体から取り外す場合は、ガラス扉の右端側に設けられた施錠装置を解除してガラス扉を開放した状態で、ガラス扉の背面側から上部取付ピンをスプリングの付勢力に抗して押し下げれば、上部取付ピンと上部取付孔との連結状態が解除されるため、上下の取付ピンを対応する取付孔からそれぞれ外すことができる。
【０００５】
しかしながら、このようなヒンジ機構を用いたパチンコ機では、上部取付孔が形成された機器本体のヒンジ板と上部取付ピンが上下動するガラス扉の左端上面との間に若干の隙間が存在するため、この隙間からピアノ線や薄板等の不正具を差し込んで上部取付ピンを押し下げることにより、上部取付ピンを上部取付孔から不正に外すことが可能となる。そのため、ガラス扉の右端側が施錠装置によってロックされていても、ガラス扉の左端上面と機器本体の左端上部との間に大きな隙間ができてしまい、この隙間を介して機器本体内の各種装置に不正にアクセスするというゴト行為を阻止することができなくなる。
【０００６】
そこで、従来より、略Ｕ字状にフォーミングした阻止部材の両腕部をガラス扉の裏面に回動自在に支持し、この阻止部材の下端部を上部取付ピンに設けた突起に係止することにより、機器本体のヒンジ板とガラス扉の左端上面との間の隙間から不正具を差し込んで上部取付ピンを押圧しても、上部取付ピンをガラス扉の左端上面に没入できないようにしたパチンコ機が提案されている（例えば、特許文献１参照）。
【０００７】
このような阻止部材を用いたパチンコ機では、阻止部材を一方向へ回動して上部取付ピンの突起との係止状態を解除しておけば、ガラス扉の機器本体に対する着脱作業を容易に行うことができると共に、ガラス扉が機器本体に取り付けられて施錠状態にあるとき、阻止部材を逆方向へ回動して上部取付ピンの突起に係止させておけば、上部取付孔から上部取付ピンが不正に外されてしまうことを防止できる。
【先行技術文献】
【特許文献】
【０００８】
【特許文献１】特開２００３−２１０７８９号公報
【発明の概要】
【発明が解決しようとする課題】
【０００９】
しかしながら、特許文献１に開示された従来のパチンコ機では、ガラス扉の着脱作業後に阻止部材を上部取付ピンの突起に係止させる操作を忘れてしまったり、ガラス扉の開放時に誤って阻止部材が上部取付ピンとの係止を解除する方向へ回動されてしまい、その状態のままガラス扉が閉じられて施錠されてしまった場合、上部取付孔から上部取付ピンが不正に外されてしまうことを防止できなくなるという問題があった。
【００１０】
本発明は、このような従来技術の実情に鑑みてなされたもので、その目的は、取付ピンが取付孔から不正に外されることを確実に防止できるパチンコ機を提供することにある。
【課題を解決するための手段】
【００１１】
上記の目的を達成するために、本発明は、遊技領域を有する遊技盤が設置された機器本体と、前記遊技領域を視認可能な透明板が保持されたガラス扉とを備え、前記ガラス扉に移動可能に設けられた取付ピンが前記機器本体に設けられた取付孔に嵌合することにより、前記ガラス扉が前記機器本体に対して開閉可能に軸支されているパチンコ機において、前記取付ピンの移動を選択的に規制するストッパ機構が付設されており、このストッパ機構が、前記ガラス扉の閉塞時に前記取付ピンの前記取付孔からの脱落を阻止すると共に、前記ガラス扉の開放時に前記取付ピンの前記取付孔からの解除操作を許容するように構成した。
【００１２】
このように構成されたパチンコ機では、遊技盤のメンテナンスや工場出荷前の盤面検査等を行う際に、ガラス扉に設けられた取付ピンを上下動可能なアンロック状態にしておけば、ガラス扉を機器本体に対して容易に着脱することができ、ガラス扉を機器本体に取り付けた後に取付ピンをロック状態に戻す操作を忘れてしまったとしても、ガラス扉の閉塞時にはストッパ機構によって取付ピンの取付孔からの脱落が阻止されているため、取付ピンが取付孔から不正に外されることを確実に防止することができる。
【００１３】
上記の構成において、ストッパ機構がガラス扉に移動可能に保持されたロック部材を備えており、ガラス扉の閉塞時にロック部材の移動を機器本体で規制することにより、取付ピンの取付孔からの脱落が阻止されるようになっていると、ストッパ機構の主要部分をガラス扉に集約させて動作不良を防止することができて好ましい。
【００１４】
この場合において、ロック部材の移動方向は特に限定されない（例えば左右方向）が、ロック部材がガラス扉の前後方向へスライド可能に保持されており、ガラス扉を開放位置から閉じる方向へ回動するとき、ロック部材の後端部が機器本体の前面に対向するようになっていると、ガラス扉の開放時にロック部材が後方位置に突出して取付ピンがアンロック状態になっていても、ガラス扉の閉塞時にロック部材が機器本体に当接して前方位置に移動させられるため、取付ピンを取付孔からの脱落が阻止されたロック状態に戻すことができて好ましい。
【発明の効果】
【００１５】
本発明のパチンコ機によれば、取付ピンが取付孔から不正に外されることを確実に防止できる。
【図面の簡単な説明】
【００１６】
【図１】本発明の実施形態例に係るパチンコ機の斜視図である。
【図２】図１に示すパチンコ機の縦断面図である。
【図３】該パチンコ機のガラス扉を開放した状態を示す斜視図である。
【図４】図１に示すパチンコ機を背面側から見た分解斜視図である。
【図５】ガラス扉の側面図である。
【図６】図２のＡ部拡大図である。
【図７】図４のＢ部拡大図である。
【図８】図５のＣ部拡大図である。
【図９】ガラス扉に設けられたヒンジ機構の要部を示す分解斜視図である。
【図１０】該ヒンジ機構に備えられる取付ピンのロック状態を示す説明図である。
【図１１】該取付ピンのロック解除状態を示す説明図である。
【図１２】ロック部材の自動復帰動作を示す説明図である。
【図１３】ロック部材の自動復帰動作を示す説明図である。
【発明を実施するための形態】
【００１７】
発明の実施の形態について図面を参照して説明すると、図１〜図４に示すように、本発明の実施形態例に係るパチンコ機は、遊技場の島設備に設置される縦長方形状の外枠１と、外枠１に扉状に開閉自在に取り付けられた機器本体２と、機器本体２の前面に扉状に開閉自在に取り付けられたガラス扉３等を備えており、ガラス扉３にはガラスやプラスチック等からなる透明板４が取り付けられている。
【００１８】
外枠１の左側枠部には上側軸受け体５と下側軸受け体６が固着されており、これら一対の軸受け体５，６に機器本体２の左側枠部に設けられた上下のピン（図示せず）が軸支されることにより、機器本体２は外枠１に対して開閉自在となっている。
【００１９】
機器本体２の左側枠部には上側ヒンジ板７と下側ヒンジ板８が設けられており、上側ヒンジ板７には取付孔７ａが形成されると共に（図８参照）、下側ヒンジ板８には支軸８ａが立設されている（図４参照）。また、機器本体２の上部内側には遊技盤９が収納されており、この遊技盤９の盤面（前面）はガラス扉３の明板４を透して目視可能となっている。図３に示すように、遊技盤９はガイドレール１０等によって区画形成された遊技領域１１を有しており、詳細な説明は省略するが、遊技領域１１には可変表示装置や始動入賞口、一般入賞口、アタッカー装置、遊技釘、風車、アウト口等が設けられている。遊技盤９よりも下方の機器本体２はガラス扉３によって覆い隠される設置部２ａとなっており、この設置部２ａには発射装置１２や下部スピーカ１３等が配設されている。
【００２０】
機器本体２の右側枠部にはシリンダ錠１４ａを有する施錠装置１４が設置されており、図示せぬが、この施錠装置１４は機器本体２の裏面に配置された後部施錠杆と機器本体２の前面に配置された前部施錠杆とを備えている。常態では、施錠装置１４の後部施錠杆により外枠１に対して機器本体２が施錠されると共に、前部施錠杆により機器本体２に対してガラス扉３が施錠されている。そして、シリンダ錠１４ａの鍵穴に図示せぬ鍵を差し込み、この鍵を一方向（例えば時計回り）へ回動すると、後部施錠杆が上動して機器本体２が開錠されるようになっている。また、シリンダ錠１４ａの鍵穴に差し込んだ鍵を他方向（反時計回り）へ回動すると、前部施錠杆が上動してガラス扉３が開錠されるようになっている。
【００２１】
ガラス扉３の左側枠部の上部には取付ピン１５が設けられており、この取付ピン１５はガラス扉３の段差部３ａの上面から突出している（図７参照）。また、ガラス扉３の左側枠部の下面には軸孔（図示せず）が設けられており、取付ピン１５を上側ヒンジ板７の取付孔７ａに挿入すると共に、軸孔を下側ヒンジ板８の支軸８ａに挿入することにより、ガラス扉３は機器本体２に対して取付ピン１５と支軸８ａを中心に開閉自在に軸支されている。その際、上側ヒンジ板７の下面と段差部３ａの上面とが隙間なく密着していると、両者間に発生する摩擦によってガラス扉３を機器本体２に対しスムーズに開閉動作することができなくなるため、上側ヒンジ板７の下面と段差部３ａの上面との間には若干の隙間が確保されている。なお、詳細については後述するが、ガラス扉３には取付ピン１５を段差部３ａの上面から出没（上下動）させる解除レバー１６が設けられており、この解除レバー１６を上方へ回動操作することによって取付ピン１５を取付孔７ａから取り外せるようになっている。
【００２２】
図１に示すように、ガラス扉３には遊技盤９の盤面に対向する大きな窓孔３ｂが開設されており、この窓孔３ｂは透明板４によって塞がれている。ガラス扉３の前面上部には上部スピーカ１７が左右に１個ずつ配設されており、これら上部スピーカ１７の間にはＬＥＤ等の発光体による発光が可能な装飾ランプ１８が設けられている。また、ガラス扉３の前面下部には、遊技盤９の裏面に配設された賞球払出装置１９（図４参照）から払い出された遊技球を収容する上段受皿２０と、上段受皿２０から排出された遊技球を収容する下段受皿２１と、遊技者による押下および回転操作が可能な演出操作ユニット２２とが設けられており、下段受皿２１の斜め右下方には発射装置１２の発射強度を調整するための操作ハンドル２３が配設されている。さらに、下段受皿２１の斜め右上方には下部スピーカ１３の音を放射するグリル部３ｃが設けられており、この下部スピーカ１３と前述した上部スピーカ１７とによって遊技に関する様々な効果音を発するようになっている。
【００２３】
図４に示すように、このパチンコ機の背面側には、遊技に関する主要な処理を行う主制御基板２４と、主制御基板２４からの指令を受けて可変表示装置やスピーカ等の各種装置を制御する副制御基板２５と、前述した賞球払出装置１９と、主制御基板２４からの指令を受けて賞球払出装置１９を制御する払出制御基板２６と、操作ハンドル２３の回動量に応じて発射装置１２の作動を制御する発射制御基板２７と、賞球数や大当たり回数等の各種情報を遊技場のホールコンピュータに出力する外部端子基板２８等が設けられている。
【００２４】
本実施形態例に係るパチンコ機において、例えば、工場出荷前の最終的な盤面検査工程で釘調整する場合や、遊技場に設置後に遊技盤９のメンテナンス等を行う場合、ガラス扉３を機器本体２から取り外した状態で所望の作業を行い、その作業の終了後に再びガラス扉３を機器本体２に開閉自在に取り付けるようにしている。その際、ガラス扉３には前述したように解除レバー１６が設けられており、この解除レバー１６によって取付ピン１５と取付孔７ａの連結状態を解除可能としたヒンジ機構が採用されているため、ガラス扉３を機器本体２に対して容易に着脱することができる。
【００２５】
以下、このようなヒンジ機構の詳細な構成と動作について、主として図５〜図１３を参照しつつ説明する。
【００２６】
ガラス扉３の段差部３ａ近傍には支持板２９が固定されており、取付ピン１５は支持板２９に上下動（昇降）可能に保持されている。支持板２９には貫通孔２９ａを有する一対の腕部２９ｂが上下方向に所定間隔を存して設けられており、これら両腕部２９ｂの間にスプリング３０が介設されている。取付ピン１５は下方の貫通孔２９ａとスプリング３０を挿通して上方の貫通孔２９ａから突出しており、その下部側に設けられた鍔部１５ａが下方の腕部２９ｂに当接することにより、取付ピン１５の上方の腕部２９ｂからの突出量が規定されている。また、取付ピン１５の上部側には係止溝１５ｂが形成されており、この係止溝１５ｂに嵌合したＥリング３１と下方の腕部２９ｂとの間にスプリング３０の両端部が弾接することにより、取付ピン１５は段差部３ａの上面（上方の腕部２９ｂ）から突出する方向へ付勢されている（図８参照）。
【００２７】
解除レバー１６は中央部幅方向へ突出する一対の支軸１６ａを有しており、これら支軸１６ａを回転中心として解除レバー１６はガラス扉３の左側枠部に回動可能に支持されている。この解除レバー１６には支軸１６ａを境に逆向きに延びる操作部１６ｂと駆動部１６ｃが一体形成されており、操作部１６ｂはガラス扉３の後方に向かって突出している。また、駆動部１６ｃはガラス扉３の前方に向かって突出しており、駆動部１６ｃの先端に形成されたＵ字状の連結部１６ｄは取付ピン１５の鍔部１５ａの下方に係止されている。したがって、操作部１６ｂを持ち上げて解除レバー１６を回動操作すると、駆動部１６ｃが下向きに回転して取付ピン１５をスプリング３０の付勢力に抗して押し下げるため、取付ピン１５を上側ヒンジ板７の取付孔７ａから取り外すことができる。
【００２８】
また、ガラス扉３の左側枠部にはヒンジガード３２が固定されており、このヒンジガード３２にはガイド孔３２ａと切欠き３２ｂが形成されている。解除レバー１６の操作部１６ｂは切欠き３２ｂを挿通してヒンジガード３２内に突出しており、それによって解除レバー１６が誤って回動操作されることを防止している。ガイド孔３２ａはガラス扉３の前後方向へ延びており、このガイド孔３２ａにロック部材３３が摺動可能に挿入・保持されている。ロック部材３３の先端側には係合突部３３ａが形成されており、この係合突部３３ａはガイド孔３２ａの側方へ突出して解除レバー１６の操作部１６ｂと係脱可能となっている。また、ロック部材３３の後端は平坦状の受面部３３ｂとなっており、この受面部３３ｂはガイド孔３２ａよりも大きめに形成されている。図１０に示すように、係合突部３３ａが操作部１６ｂの上方に位置するまでロック部材３３をガイド孔３２ａ内に押し込むと、解除レバー１６の回動操作が係合突部３３ａによって阻止されるため、取付ピン１５は下方へ移動することのできないロック状態に維持される。一方、図１１に示すように、受面部３３ｂを手前に引いて係合突部３３ａを操作部１６ｂの前方位置まで移動させると、解除レバー１６を自由に回動操作することが可能になるため、取付ピン１５は解除レバー１６によって上下動が可能なアンロック状態となる。
【００２９】
このように構成されたパチンコ機において、ガラス扉３が閉じられて機器本体２に対して施錠されているとき、ロック部材３３は係合突部３３ａを操作部１６ｂの真上に位置させるようにガイド孔３２ａの奥部（ガラス扉３の前方）側に押し込まれており、この係合突部３３ａによって解除レバー１６の上方への回動操作が阻止されるため、取付ピン１５は取付孔７ａからの脱落が阻止されたロック状態に維持されている。したがって、上側ヒンジ板７とガラス扉３の段差部３ａとの間に確保された隙間から不正具を差し込んで取付ピン１５を押し下げようとしても、取付ピン１５はロック部材３３と係合する解除レバー１６によって下方への移動が阻止されているため、取付ピン１５を取付孔７ａから不正に外すことはできなくなっている。
【００３０】
一方、遊技盤９のメンテナンスや工場出荷前の盤面検査等を行う場合は、まず、施錠装置１４を開錠してガラス扉３を取付ピン１５と支軸８ａを中心に回動し、ガラス扉３を機器本体２に対して開放状態とした後、図１１に示すように、ガラス扉３の背面に露出するロック部材３３をガイド孔３２ａの手前側にスライド操作することにより、係合突部３３ａを操作部１６ｂの回動領域外に移動させて解除レバー１６を自由に回動操作できる状態にする。しかる後、操作部１６ｂを持ち上げて解除レバー１６を支軸１６ａを中心に回動操作すると、解除レバー１６の下向きに回動する駆動部１６ｃから取付ピン１５に押し下げ方向の力が伝達されるため、取付ピン１５を下方へ移動させて取付孔７ａから取り外すことができる。したがって、このように取付ピン１５を取付孔７ａから取り外した状態でガラス扉３を持ち上げれば、ガラス扉３の図示せぬ軸孔が下側ヒンジ板８の支軸８ａから抜けるため、ガラス扉３を機器本体２から容易に取り外すことができる
なお、このようにガラス扉３を機器本体２から取り外した状態でメンテナンスや釘調整等の作業を行った後、ガラス扉３は上記と逆の手順によって機器本体２に開閉可能に取り付けられ、解除レバー１６はロック部材３３によって回動操作できない状態に戻される。すなわち、ガラス扉３の軸孔を下側ヒンジ板８の支軸８ａに嵌め込んだ後、解除レバー１６を回動操作して取付ピン１５を押し下げながら段差部３ａを上側ヒンジ板７の真下位置へ移動させ、当該位置でスプリング３０の付勢力によって取付ピン１５を上動させて取付孔７ａに嵌め込む。しかる後、ロック部材３３をガイド孔３２ａの奥部側に押し込んで解除レバー１６を回動操作できないロック状態とし、この状態のままガラス扉３を取付ピン１５と支軸８ａを中心に閉塞方向に回動すれば、ガラス扉３は機器本体２に対して施錠された状態となる。
【００３１】
その際、ロック部材３３を図１０に示すロック位置に押し戻す操作を忘れてしまうと、解除レバー１６の回動操作を阻止することができなくなるが、図１２と図１３に示すように、ガイド孔３２ａから突出するロック部材３３の受面部３３ｂがガラス扉３の回動に伴って遊技盤９の盤面（前面）に近付いていき、ガラス扉３を閉塞位置まで回動すると受面部３３ｂが遊技盤９の盤面に当接して前方へ押圧されるため、ロック部材３３は図１１に示すアンロック位置から図１０に示すロック位置へと自動復帰する。したがって、ロック部材３３による解除レバー１６のロック操作を万一忘れてしまったとしても、ガラス扉３を機器本体２に対し閉塞した時点でロック部材３３がロック位置に自動復帰するため、取付ピン１５をロック状態に維持して取付孔７ａからの脱落を確実に阻止することができる。
【００３２】
このように、ガラス扉３の開放時にロック部材３３はガイド孔３２ａに沿って前後方向へ移動可能となっているため、ロック部材３３の移動位置に応じて取付ピン１５の上下動（昇降動作）を選択的に規制することができと共に、ガラス扉３の閉塞時にロック部材３３は遊技盤９の盤面によって後方への移動が規制されているため、取付ピン１５の昇降動作を規制して取付孔７ａからの脱落を阻止することができる。すなわち、これらロック部材３３と遊技盤９の盤面によって本発明のストッパ機構が構成されている。
【００３３】
以上説明したように、本実施形態例に係るパチンコ機では、遊技盤９のメンテナンスや工場出荷前の盤面検査等を行う際に、ガラス扉３に設けられた取付ピン１５を昇降（上下動）可能なアンロック状態にしておけば、ガラス扉３を機器本体２に対して容易に着脱することができる。そして、ガラス扉３を機器本体２に取り付けた後に取付ピン１５をロック状態に戻す操作を忘れてしまったとしても、ガラス扉３の閉塞時には、ストッパ機構によって取付ピン１５の取付孔７ａからの脱落が阻止されるようになっているため、取付ピン１５が取付孔７ａから不正に外されることを確実に防止することができる。
【００３４】
また、前述したストッパ機構がガラス扉３に移動可能に保持されたロック部材３３を備えており、ガラス扉３の閉塞時にロック部材３３の移動を機器本体２に設置された遊技盤９の盤面で規制することにより、取付ピン１５の取付孔７ａからの脱落が阻止されるようになっているため、ストッパ機構の主要部分をガラス扉３に集約させて動作不良を防止することができる。
【００３５】
また、ロック部材３３はガラス扉３に設けたヒンジガード３２のガイド孔３２ａにスライド可能に保持されており、ガラス扉３を開放位置から閉じる方向へ回動するとき、ロック部材３３の後端の受面部３３ｂが遊技盤９の盤面（前面）に対向するようになっているため、ガラス扉３の開放時にロック部材３３が後方位置に突出して取付ピン１５がアンロック状態になっていても、ガラス扉３の閉塞時にロック部材３３を遊技盤９の盤面に当接させて前方位置に押し戻すことができる。これにより、ロック部材３３による解除レバー１６のロック操作を万一忘れてしまったとしても、ガラス扉３を機器本体２に対して閉塞した時点でロック部材３３をロック位置に自動復帰させて、取付ピン１５の取付孔７ａからの脱落を確実に阻止することができる。
【００３６】
なお、上記の実施形態例では、解除レバー１６の回転運動を取付ピン１５の上下運動に変換し、この解除レバー１６の回動操作をロック部材３３によって選択的に禁止するようにしているが、解除レバー１６を省略してロック部材３３が取付ピン１５の昇降動作を直接規制するように構成することも可能である。
【００３７】
また、上記の実施形態例では、ストッパ機構がガラス扉３に移動可能に設けたロック部材３３と機器本体２に設置した遊技盤９の盤面とによって構成される場合について説明したが、本発明のストッパ機構は、ガラス扉３の閉塞時に取付ピン１５の取付孔７ａからの脱落を阻止すると共に、ガラス扉３の開放時に取付ピン１５の取付孔７ａからの解除操作を許容するものであれば、上記実施形態例と異なる構成にすることも可能である。例えば、解除レバー１６の操作部１６ｂを後方へ延出させると共に、遊技盤９の盤面に操作部１６ｂの延出部分を受け入れる凹部を設け、ガラス扉３の閉塞時に操作部１６ｂの延出部分を凹部内に挿入することにより、解除レバー１６の回動操作を阻止するようにしても良い。このように構成すると、ガラス扉３の開放時に解除レバー１６の回動操作は許容されているが、ガラス扉３の閉塞時に遊技盤９の凹部によって解除レバー１６の回動操作が阻止されるため、ロック部材３３を省略しても取付ピン１５の昇降動作を選択的に規制することができる。
【符号の説明】
【００３８】
１  外枠
２  機器本体
３  ガラス扉
３ａ  段差部
４  透明板
５  上側軸受け体
６  下側軸受け体
７  上側ヒンジ板
７ａ  取付孔
８  下側ヒンジ板
８ａ  ８支軸
９  遊技盤
１１  遊技領域
１４  施錠装置
１５  取付ピン
１５ａ  鍔部
１５ｂ  係止溝
１６  解除レバー
１６ａ  支軸
１６ｂ  操作部
１６ｃ  駆動部
１６ｄ  連結部
２９  支持板
２９ａ  貫通孔
２９ｂ  腕部
３０  スプリング
３１  Ｅリング
３２  ヒンジガード
３２ａ  ガイド孔
３２ｂ  切欠き
３３  ロック部材
３３ａ  係合突部
３３ｂ  受面部
【図１】
2015150273.tif 000003
【図２】
2015150273.tif 000004
【図３】
2015150273.tif 000005
【図４】
2015150273.tif 000006
【図５】
2015150273.tif 000007
【図６】
2015150273.tif 000008
【図７】
2015150273.tif 000009
【図８】
2015150273.tif 000010
【図９】
2015150273.tif 000011
【図１０】
2015150273.tif 000012
【図１１】
2015150273.tif 000013
【図１２】
2015150273.tif 000014
【図１３】
2015150273.tif 000015